(57)【要約】    【課題】  主レンズ系の物体側に装着することで全系の焦点距離を短い方へ変化させ、しかも高い光学性能が容易に得られるコンバータ光学系が得られる。    【解決手段】  主レンズ系の物体側に配置されることで、全系の焦点距離を主レンズ系の焦点距離よりも短い方へ変化させるコンバータ光学系において、コンバータ光学系は、負レンズおよび正レンズを有し、コンバータ光学系の最も物体側には、物体側に凸面を向けた、負の屈折力のメニスカス形状のレンズＧ１が配置され、レンズＧ１の像側に隣接して物体側に凹面を向けたレンズＧ２が配置されており、レンズＧ１の像側のレンズ面の曲率半径Ｇ１Ｒ２、レンズＧ２の物体側のレンズ面の曲率半径Ｇ２Ｒ１、コンバータ光学系に含まれる負レンズの材料のアッベ数の平均値νｄｎ、コンバータ光学系に含まれる正レンズの材料のアッベ数の平均値νｄｎを各々適切に設定する。【選択図】    図２
2019070705.tif 000002
【特許請求の範囲】
【請求項１】
主レンズ系の物体側に配置されることで、全系の焦点距離を前記主レンズ系の焦点距離よりも短い方へ変化させるコンバータ光学系において、
前記コンバータ光学系は、負レンズおよび正レンズを有し、前記コンバータ光学系の最も物体側には、物体側に凸面を向けた、負の屈折力のメニスカス形状のレンズＧ１が配置され、該レンズＧ１の像側に隣接して物体側に凹面を向けたレンズＧ２が配置されており、
前記レンズＧ１の像側のレンズ面の曲率半径をＧ１Ｒ２、前記レンズＧ２の物体側のレンズ面の曲率半径をＧ２Ｒ１、前記コンバータ光学系に含まれる負レンズの材料のアッベ数の平均値をνｄｎ、前記コンバータ光学系に含まれる正レンズの材料のアッベ数の平均値をνｄｎとするとき、
０．０＜（Ｇ２Ｒ１＋Ｇ１Ｒ２）／（Ｇ２Ｒ１−Ｇ１Ｒ２）＜３．０
νｄｐ／νｄｎ＞０．９
なる条件式を満たすことを特徴とするコンバータ光学系。
【請求項２】
前記レンズＧ１の有効外径をＤ１、前記レンズＧ１の物体側のレンズ面の曲率半径をＧ１Ｒ１とするとき、
Ｄ１／Ｇ１Ｒ１＞０．６０
なる条件式を満たすことを特徴とする請求項１に記載のコンバータ光学系。
【請求項３】
前記レンズＧ１の材料のアッベ数をνｄＧ１とするとき、
νｄＧ１＜５５．０
なる条件式を満たすことを特徴とする請求項１または２に記載のコンバータ光学系。
【請求項４】
前記コンバータ光学系に含まれる正レンズのうち、最も屈折力が大きい正レンズの材料のアッベ数をνｄＰｍａｘとするとき、
νｄＰｍａｘ＞３０．０
なる条件式を満たすことを特徴とする請求項１乃至３のいずれか１項に記載のコンバータ光学系。
【請求項５】
前記コンバータ光学系は、物体側から像側へ順に配置された、負レンズ、負レンズ、正レンズより構成されることを特徴とする請求項１乃至４のいずれか１項に記載のコンバータ光学系。
【請求項６】
前記コンバータ光学系は、物体側から像側へ順に配置された、負レンズ、負レンズ、負レンズと正レンズを接合した接合レンズより構成されることを特徴とする請求項１乃至４のいずれか１項に記載のコンバータ光学系。
【請求項７】
請求項１乃至６のいずれか１項に記載のコンバータ光学系と、主レンズ系と、前記コンバータ光学系と前記主レンズ系によって形成される像を受光する光電変換素子とを備えることを特徴とする撮像装置。
【発明の詳細な説明】
【技術分野】
【０００１】
本発明は、主レンズ系の前方（物体側）に着脱可能に装着し全系の焦点距離を短い方へ変化させるコンバータ光学系に関し、例えばデジタルスチルカメラ、ビデオカメラ等の撮像装着に好適なものである。
【背景技術】
【０００２】
従来、撮像光学系である主レンズ系の物体側に装着して全系の焦点距離を短い方へ変化させるコンバータ光学系が知られている（特許文献１、２）。特許文献１、２は主レンズ系の物体側に装着して全系の焦点距離を主レンズ系の焦点距離に比べて短い方に変移させるアフォーカル系よりなるワイドコンバーターレンズを開示している。
【０００３】
従来、撮像光学系においては撮像光学系を空気中だけではなく、屈折率が１が超える溶媒、例えば水中で使用することがある。空気中での通常の撮像と、水中での撮像の双方で良好に行うことができる電子撮像装置が知られている（特許文献３、４）。
【０００４】
特許文献３は空気環境下における撮像と、水中環境下における撮像における撮像光学系による収差の違いに沿って、撮像素子で得られた撮像画像を電気的に修正する画像修正部を備えた電子撮像装置を開示している。特許文献４は空気中での撮像と水中での撮像において、撮像光学系の像側に収差補正用の光学系を選択的に切り替えて配置した撮像装置を開示している。
【先行技術文献】
【特許文献】
【０００５】
【特許文献１】特開２００８−０２６７７９号公報
【特許文献２】特開２００９−２１０６９２号公報
【特許文献３】特開２００８−２３６６３５号公報
【特許文献４】特開２０１６−２００６３０号公報
【発明の概要】
【発明が解決しようとする課題】
【０００６】
一般にアフォーカル系よりなるコンバータ光学系を主レンズ系の物体側に装着すると全系として諸収差が増大し、光学性能が低下してくる。また、空気中で光学性能が良好に保証されている撮像光学系を、物体（被写体）から撮像光学系の最も物体側のレンズ面までの間を水で浸すと、光学状態が大きく変化してくる。
【０００７】
例えば空気中での撮像に比べて水中であると倍率色収差や像面湾曲等の諸収差が増大してくる。この為、撮像光学系の物体側にコンバータ光学系を装着して、空気中及び水中で撮像し、いずれにおいても良好な光学性能を有する画像を得るにはコンバータ光学系の構成を適切に設定することが重要になってくる。
【０００８】
本発明は、主レンズ系の物体側に装着することで全系の焦点距離を短い方へ変化させ、しかも高い光学性能が容易に得られるコンバータ光学系及びそれを有する撮像装置の提供を目的とする。
【課題を解決するための手段】
【０００９】
本発明のコンバータ光学系は、主レンズ系の物体側に配置されることで、全系の焦点距離を前記主レンズ系の焦点距離よりも短い方へ変化させるコンバータ光学系において、
前記コンバータ光学系は、負レンズおよび正レンズを有し、前記コンバータ光学系の最も物体側には、物体側に凸面を向けた、負の屈折力のメニスカス形状のレンズＧ１が配置され、該レンズＧ１の像側に隣接して物体側に凹面を向けたレンズＧ２が配置されており、
前記レンズＧ１の像側のレンズ面の曲率半径をＧ１Ｒ２、前記レンズＧ２の物体側のレンズ面の曲率半径をＧ２Ｒ１、前記コンバータ光学系に含まれる負レンズの材料のアッベ数の平均値をνｄｎ、前記コンバータ光学系に含まれる正レンズの材料のアッベ数の平均値をνｄｎとするとき、
０．０＜（Ｇ２Ｒ１＋Ｇ１Ｒ２）／（Ｇ２Ｒ１−Ｇ１Ｒ２）＜３．０
νｄｐ／νｄｎ＞０．９
なる条件式を満たすことを特徴としている。
【発明の効果】
【００１０】
本発明によれば、主レンズ系の物体側に装着することで全系の焦点距離を短い方へ変化させ、しかも高い光学性能が容易に得られるコンバータ光学系が得られる。
【図面の簡単な説明】
【００１１】
【図１】実施例１のコンバータ光学系のレンズ断面図
【図２】実施例１のコンバータ光学系を主レンズ系の物体側に装着したときのレンズ断面図
【図３】（Ａ）、（Ｂ）  実施例１のコンバータ光学系を主レンズ系の物体側に装着したときの広角端と望遠端における縦収差図
【図４】実施例２のコンバータ光学系のレンズ断面図
【図５】実施例２のコンバータ光学系を主レンズ系の物体側に装着したときのレンズ断面図
【図６】（Ａ）、（Ｂ）  実施例２のコンバータ光学系を主レンズ系の物体側に装着したときの広角端と望遠端における縦収差図
【図７】実施例３のコンバータ光学系のレンズ断面図
【図８】実施例３のコンバータ光学系を主レンズ系の物体側に装着したときのレンズ断面図
【図９】（Ａ）、（Ｂ）  実施例３のコンバータ光学系を主レンズ系の物体側に装着したときの広角端と望遠端における縦収差図
【図１０】各実施例で例として用いた主レンズ系のレンズ断面図
【図１１】（Ａ）、（Ｂ）  各実施例で例として用いた主レンズ系の広角端と望遠端における収差図
【発明を実施するための形態】
【００１２】
以下に、本発明の好ましい実施の形態を添付の図面に基づいて説明する。本発明のコンバータ光学系は、主レンズ系の物体側に配置される（装着される）ことで、全系の焦点距離を主レンズ系の焦点距離よりも短い方へ変化させるコンバータ光学系において、コンバータ光学系は、負レンズおよび正レンズを有している。コンバータ光学系の最も物体側には、物体側に凸面を向けた、負の屈折力のメニスカス形状のレンズＧ１が配置され、レンズＧ１の像側に隣接して物体側に凹面を向けたレンズＧ２が配置されている。
【００１３】
図１は本発明の実施例１のコンバータ光学系のレンズ断面図である。図２は本発明の実施例１のコンバータ光学系を主レンズ系の物体側に装着した際のレンズ断面図である。図３（Ａ）、（Ｂ）は本発明の実施例１のコンバータ光学系を主レンズ系の物体側に装着し無限遠に合焦しているときの広角端、望遠端における縦収差図である。実施例１はコンバータ光学系を装着することにより、主レンズ系の焦点距離を０．９３倍に縮小している。
【００１４】
図４は本発明の実施例２のコンバータ光学系のレンズ断面図である。図５は本発明の実施例２のコンバータ光学系を主レンズ系の物体側に装着した際のレンズ断面図である。図６（Ａ）、（Ｂ）は本発明の実施例２のコンバータ光学系を主レンズ系の物体側に装着し無限遠に合焦しているときの広角端、望遠端における縦収差図である。実施例２はコンバータ光学系を装着することにより、主レンズ系の焦点距離を０．８５倍に縮小している。
【００１５】
図７は本発明の実施例３のコンバータ光学系のレンズ断面図である。図８は本発明の実施例３のコンバータ光学系を主レンズ系の物体側に装着した際のレンズ断面図である。図９（Ａ）、（Ｂ）は本発明の実施例３のコンバータ光学系を主レンズ系の物体側に装着し無限遠に合焦しているときの広角端、望遠端における縦収差図である。実施例３はコンバータ光学系を装着することにより、主レンズ系の焦点距離を０．８９倍に縮小している。
【００１６】
図１０は各実施例で例として用いた主レンズ系の広角端におけるレンズ断面図である。図１１（Ａ）、（Ｂ）は各実施例で例として用いた主レンズ系の広角端と望遠端における収差図である。
【００１７】
各実施例で用いた主レンズ系はズームレンズよりなる場合を示したが、これに限定されるものではなく、どのようなタイプのズームレンズであっても良く、また単一の焦点距離の撮像光学系であっても良い。レンズ断面図においてＷＣはコンバータ光学系である。ＭＬは主レンズ系である。ＩＰは像面であり、ビデオカメラやデジタルスチルカメラの撮像光学系として使用する際には像を受光するＣＣＤセンサやＣＭＯＳセンサなどの固体撮像素子（光電変換素子）の撮像面が置かれている。
【００１８】
球面収差図において実線のｄはｄ線（波長５８７．６ｎｍ）、二点鎖線のｇはｇ線（波長４３５．８ｎｍ）、破線のＦはＦ線（波長４８６．１ｎｍ）である。非点収差図において点線のΔＭはｄ線のメリディオナル像面、実線のΔＳはｄ線のサジタル像面である。歪曲はｄ線について示している。倍率色収差はｇ線によって表わしている。ωは半画角（度）、ＦｎｏはＦナンバーである。
【００１９】
各実施例において、例として用いた図１０に示す主レンズ系ＭＬは、ズームレンズである。主レンズ系ＭＬは、物体側より像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４より構成される。また、広角端から望遠端へのズーミングに際し、第１レンズ群Ｌ１と第２レンズ群Ｌ２の間隔が小さく、第２レンズ群Ｌ２と第３レンズ群Ｌ３の間隔が大きく、第３レンズ群Ｌ３と第４レンズ群Ｌ４の間隔が小さくなるように各レンズ群が移動する。
【００２０】
図１０に示した主レンズ系ＭＬは、本発明のコンバータ光学系ＷＣを装着する一例であり、本発明のコンバータ光学系ＷＣを装着する主レンズ系ＭＬはこれに限るものではない。主レンズ系ＭＬはズームレンズでなくて構わないし、また、いかなる焦点距離のレンズ系であっても構わない。
【００２１】
なお、以下の全ての実施例において、コンバータ光学系ＷＣを装着する主レンズ系ＭＬは図１０の主レンズ系ＭＬで共通である。この主レンズ系ＭＬを空気中において撮影した際の、広角端および望遠端における縦収差図を、図１１（Ａ）、（Ｂ）に示す。
【００２２】
空気中で光学性能が保証されているレンズ系を水中にそのまま入れて（被写体から、レンズ系の最も物体側のレンズ面までが水で満たされた状態）撮像すると、空気中と水の屈折率が異なる。このためレンズ系の最も物体側のレンズ面（前玉）での屈折角が変化し、光学性能もそれに応じて変化してくる。
【００２３】
具体的には、軸外光線が前玉での大きく屈折する場合は、倍率色収差が空気中からは大きく変化してくる。また、前玉が正の屈折力の曲率を有しており、軸外光線が前玉に略垂直に入射する場合は、倍率色の収差変動は小さいが、像面湾曲が空気中からは大きく変化してくる。なお、空気の屈折率は約１．００、水の屈折率は約１．３３である。
【００２４】
本発明のコンバータ光学系は、１枚以上の負レンズおよび１枚以上の正レンズを有し、主に水中撮影時において倍率色収差の変動を補正している。また、本発明のコンバータ光学系の最も物体側のレンズＧ１は、物体側に凸面を向けた負の屈折力を有するメニスカス形状である。物体側に凸面を向けることで、前述の通り、倍率色収差の変動を低減している。加えて、コンバータ光学系を装着して水中で撮影する際に、コンバータ光学系を装着せずに大気中で撮影する時に比べて撮像画角が狭くなることを低減している。
【００２５】
本発明のコンバータ光学系において、レンズＧ１の像側のレンズ面の曲率半径をＧ１Ｒ２、レンズＧ２の物体側のレンズ面の曲率半径をＧ２Ｒ１とする。コンバータ光学系に含まれる負レンズの材料のアッベ数の平均値をνｄｎ、コンバータ光学系に含まれる正レンズの材料のアッベ数の平均値をνｄｎとする。このとき、
０．０＜（Ｇ２Ｒ１＋Ｇ１Ｒ２）／（Ｇ２Ｒ１−Ｇ１Ｒ２）＜３．０  ・・・（１）
νｄｐ／νｄｎ＞０．９      ・・・（２）
なる条件式を満たす。
【００２６】
次に前述の各条件式の技術的意味について説明する。条件式（１）は、レンズＧ１とレンズＧ２の間で形成される空気レンズの形状を規定する。条件式（１）を満たすことで、水中撮影時の像面湾曲の変動を補正している。条件式（１）の上限値を上回ると、像面湾曲を良好に補正するのが困難になる。下限値を下回ると、コンバータ光学系ＷＣを小型化することが困難になり、仮に小型化をしようとすると、最大像高近辺での光量（周辺光量）を小さくせざるを得なくなってしまうので良くない。
【００２７】
ここで材料のアッベ数の平均値とは、レンズの屈折力で重み付けをしたアッベ数を意味している。たとえば、コンバータ光学系ＷＣ内に２枚の正レンズがあり、片方は屈折力が＋０．０１で材料のアッベ数が４０、他方は屈折力が＋０．０２で材料のアッベ数が５２とする。このときアッベ数の平均値νｄｐは、
νｄｐ＝（４０×０．０１＋５２×０．０２）／（０．０１＋０．０２）＝４８
と計算される。
【００２８】
条件式（２）は、水中撮影時において像面湾曲を良好に補正するためのものである。一般に、空気中で光学性能が保証されているレンズ系をそのまま水中に入れると、像面湾曲がオーバーになる。これを補正するためにはペッツバール和を正の方向に大きくする必要があり、これは負レンズの材料の分散が、正レンズのそれと同程度か大きい必要がある。
【００２９】
従って、条件式（２）の下限値を下回ると、水中撮影時の像面湾曲の変動を補正することが困難になる。このように、各実施例におけるコンバータ光学系は、水中においても優れた画質を得ることが容易である。
【００３０】
特に本発明のコンバータ光学系は、空気中で光学性能が良好に保証されている撮像光学系の物体側に装着し、水中で撮像しても撮像画角の変化が少なく、かつ、優れた画像が容易に得られる撮像装置が得られる。
【００３１】
各実施例において更に好ましくは次の条件式のうち１つ以上を満足するのが良い。レンズＧ１の有効外径をＤ１、レンズＧ１の物体側のレンズ面の曲率半径をＧ１Ｒ１とする。レンズＧ１の材料のアッベ数をνｄＧ１とする。コンバータ光学系に含まれる正レンズのうち、最も屈折力が大きい正レンズの材料のアッベ数をνｄＰｍａｘとする。
【００３２】
このとき次の条件式のうち１つ以上を満足するのが良い。
Ｄ１／Ｇ１Ｒ１＞０．６０    ・・・（３）
νｄＧ１＜５５．０          ・・・（４）
νｄＰｍａｘ＞３０．０      ・・・（５）
【００３３】
次に前述の各条件式の技術的意味について説明する。条件式（３）の上限値を上回ると、水中撮影時において倍率色収差を良好に補正することが困難になるし、加えて、コンバータ光学系の小型化が困難になる。倍率色収差を効果的に補正するためには、有効径が大きい場所、すなわちレンズＧ１に高分散の材料を使用する必要がある。条件式（４）の上限値を上回ると、水中撮影時において倍率色収差を良好に補正することが困難になる。
【００３４】
一般に、空気中で光学性能が保証されているレンズ系をそのまま水中に入れると、倍率色収差がオーバーになる。条件式（５）の下限値を下回ってしまうと、その正レンズは更に倍率色収差をオーバー側に発生させてしまうため、負レンズによる倍率色収差の補正が更に困難になる。
【００３５】
さらに好ましくは、条件式（１）乃至（５）は、下記の数値範囲を満たすと良い。
０．０＜ＳＦ＜２．８０      ・・・（１ａ）
νｄｐ／νｄｎ＞１．００    ・・・（２ａ）
Ｄ１／Ｇ１Ｒ１＞０．６１    ・・・（３ａ）
νｄＧ１＜５４．０          ・・・（４ａ）
νｄＰｍａｘ＞４０          ・・・（５ａ）
【００３６】
次に各実施例のコンバータ光学系ＷＣについて説明する。
［実施例１］
図１の実施例１のコンバータ光学系について説明する。実施例１のコンバータ光学系は、物体側から像側へ順に配置された、負レンズ、負レンズ、正レンズの３枚のレンズで構成される。主レンズ系ＭＬが変倍する際にも、コンバータ光学系は移動しない（すなわち、コンバータ光学系ＷＣの第１レンズ面から、像面までの間隔が一定である）。
【００３７】
図３（Ａ）、（Ｂ）に示すように、本実施例におけるコンバータ光学系を主レンズ系ＭＬに装着し、水中内で無限遠合焦状態における、広角端および望遠端での縦収差図に示すように水中においても優れた画質が得られる。
【００３８】
［実施例２］
図４の実施例２のコンバータ光学系ＷＣについて説明する。実施例２のコンバータ光学系は、物体側から像側へ順に配置された、負レンズ、負レンズ、負レンズと正レンズを接合した接合レンズの４枚のレンズで構成される。主レンズ系ＭＬが変倍する際にも、コンバータ光学系ＷＣは移動しない。
【００３９】
図６（Ａ）、（Ｂ）に示すように実施例におけるコンバータ光学系ＷＣを主レンズ系ＭＬに装着し、水中内で無限遠合焦状態における、広角端および望遠端での縦収差図に示すように水中においても優れた画質が得られる。
【００４０】
［実施例３］
図７の実施例３のコンバータ光学系ＷＣについて説明する。実施例３のコンバータ光学系は、物体側から像側へ順に配置された、負レンズ、負レンズ、正レンズの３枚のレンズで構成される。主レンズ系ＭＬが変倍する際にも、コンバータ光学系は移動しない。
【００４１】
本実施例におけるコンバータ光学系ＷＣを主レンズ系ＭＬに装着し、水中内での無限遠合焦状態における、広角端および望遠端での縦収差図に示すように水中においても優れた画質が得られる。
【００４２】
以上、本発明の好ましい実施形態について説明したが、本発明はこれらの実施形態に限定されず、その要旨の範囲内で種々の変形及び変更が可能である。
【００４３】
以下に、主レンズ系及び実施例１乃至３に各々対応する数値データ１乃至３を示す。各数値データにおいて、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした材料の屈折率、アッベ数を示す。ｒｉおよびｄｉの単位はいずれもミリである。ＢＦはバックフォーカスである。
【００４４】
主レンズ系およびコンバータ光学系の、焦点距離やアフォーカル倍率等の各数値データは、空気中での値である。また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ａ４、Ａ６、Ａ８、Ａ１０、Ａ１２、Ａ１４を各次数の非球面係数とするとき、
【００４５】
【数１】
2019070705.tif 000003
で表す。なお、各非球面係数における「Ｅ±ＸＸ」は「×１０±ＸＸ」を意味している。また、前述の各条件式に相当する数値を表１に示す。
【００４６】
[主レンズデータ]
単位 mm
面データ
面番号       r        d      nd         νd
1          ∞       1.50
2*      -450.407    3.00   1.58313    59.4
3*        17.067    9.11
4*     -2617.009    2.00   1.88100    40.1
5*        41.361    6.10
6        -48.208    1.20   1.72916    54.7
7         87.006    0.15
8         46.446    6.50   1.80610    33.3
9        -57.922  (可変)
10         33.783    1.00   2.00100    29.1
11         18.908    5.01   1.67300    38.1
12       -269.359    6.10
13(絞り)    ∞       1.51
14         30.702    1.00   1.84666    23.9
15         20.853    5.67   1.48749    70.2
16        -56.151  (可変)
17          ∞       1.72
18         97.298    2.00   1.84666    23.9
19        -67.000    0.80   1.88300    40.8
20         28.129    3.00
21        -22.309    0.80   1.91082    35.3
22        -60.605    0.15     
23         78.956    2.07   1.80809    22.8
24        -86.265  (可変)
25         26.619    6.33   1.49700    81.5
26        -82.354    0.15
27         64.520    1.20   1.91082    35.3
28         19.479   10.56   1.49700    81.5
29        -34.761    2.10   1.85400    40.4
30*       -47.490  (可変)
像面        ∞   
【００４７】
非球面データ
第2面
K = 0.00000e+000  A 4= 1.69949e-005  A 6=-2.72616e-008 
A 8= 4.27559e-011  A10=-4.03114e-014  A12= 1.89622e-017  
第3面
K =-1.45439e+000  A 4= 3.81619e-006  A 6= 2.75066e-008 
A 8=-1.24560e-010  A10= 5.13319e-014  
第4面
K = 0.00000e+000  A 4=-2.11456e-005  A 6= 9.16846e-008 
A 8=-1.71759e-010  A10= 1.20398e-013  
第5面
K =-1.28842e+001  A 4= 2.71305e-005  A 6= 3.87882e-008 
A 8= 6.70761e-011  A10=-2.09035e-014  
第30面
K = 6.78859e+000  A 4= 2.09245e-005  A 6= 2.40729e-008 
A 8= 1.60019e-010  A10=-6.04076e-013  A12= 2.70504e-015  
広角     中間     望遠
焦点距離      16.49    23.72    34.14  
Fナンバー      4.12     4.12     4.19  
半画角（度）  52.69    42.36    32.36  
像高          21.64    21.64    21.64 
レンズ全長   156.41   150.15   154.55 
BF            39.00    48.72    63.35 
d 9           28.15    12.17     1.94  
d16            1.41     4.32     7.40  
d24            7.12     4.21     1.13  
d30           39.00    48.72    63.35  
レンズ群データ
群  始面    焦点距離
1    1     -21.90
2   10      67.08
3   13      53.16
4   17     -35.91
5   25      41.87
単レンズデータ
レンズ  始面  焦点距離
1       1    -28.13
2       4    -46.20
3       6    -42.38
4       8     32.89
5      10    -44.39
6      11     26.44
7      14    -80.53
8      15     31.96
9      18     47.13
10      19    -22.35
11      21    -39.15
12      23     51.30
13      25     41.27
14      27    -31.03
15      28     26.85
16      29   -164.35
【００４８】
[数値データ１]
単位 mm
面データ
面番号       r        d      nd         νd       有効径
1        180.000    4.00   1.73641    53.3      126.10
2         97.435   25.00                        108.53
3       -226.284    4.00   1.84291    27.8      102.56
4      -2452.736    3.41                         97.34
5         92.619   11.98   1.67165    48.6       81.47
6      -1374.309  (可変)                         79.30 
（以下、主レンズ）
アフォーカル倍率  0.93
広角     中間     望遠
d 6            5.00    11.26     6.89
各種データ
広角     中間     望遠
焦点距離      15.37    22.19    31.45 
Fナンバー      4.12     4.12     4.12 
半画角（度）  54.62    44.27    34.53 
像高          21.64    21.64    21.64
レンズ群データ
群  始面    焦点距離
1    1      623.29
単レンズデータ
レンズ  始面  焦点距離
1       1   -294.50
2       3   -295.98
3       5    129.62
【００４９】
[数値データ２]
単位 mm
面データ
面番号       r        d      nd         νd       有効径
1        251.329    4.00   2.00100    29.1      155.33
2        135.065   14.59                        138.16
3        291.404    4.00   1.88300    40.8      131.53
4        142.837   25.00                        120.17
5         83.000    4.00   1.55639    62.7       86.60
6         59.090   17.46   1.57251    42.7       77.93
7        613.441  (可変)                         72.74
（以下、主レンズ）
アフォーカル倍率  0.85
広角     中間     望遠
d 7            5.00    11.27     6.93
各種データ
広角     中間     望遠
焦点距離      14.09    20.30    29.05  
Fナンバー      4.12     4.12     4.16  
半画角（度）  56.92    46.82    36.68  
像高          21.64    21.64    21.64
レンズ群データ
群  始面    焦点距離
1    1     1499.00
単レンズデータ
レンズ  始面  焦点距離
1       1   -296.79
2       3   -321.34
3       5   -392.12
4       6    112.92
【００５０】
[数値データ３]
単位 mm
面データ
面番号       r        d      nd         νd       有効径
1        110.000    8.00   1.85400    40.4      141.67
2*        59.244   39.53                        102.65
3        800.723    4.00   1.77250    49.6       98.40
4        165.416    2.00                         93.66
5         74.857   20.25   1.74616    54.0       89.14
6       -313.147  (可変)                         87.00
非球面データ
第2面
K =-1.57744e-001  A 4= 3.66820e-007  A 6= 1.22422e-010 
A 8=-3.48786e-014  A10= 1.08255e-016  A12=-6.19725e-020 
A14= 1.39103e-023
アフォーカル倍率  0.89
広角     中間     望遠
d 6            5.00    11.26     6.89
各種データ
広角     中間     望遠
焦点距離      14.68    21.33    29.44  
Fナンバー      4.12     4.12     4.12  
半画角（度）  55.84    45.40    36.31  
像高          21.64    21.64    21.64
レンズ群データ
群  始面    焦点距離
1    1     217.41
単レンズデータ
レンズ  始面  焦点距離
1       1   -162.12
2       3   -270.63
3       5     82.81
【００５１】
【表１】
2019070705.tif 000004
【符号の説明】
【００５２】
ＭＬ  主レンズ系      ＷＣ  コンバータ光学系      ＳＰ  開口絞り
【図１】
2019070705.tif 000005
【図２】
2019070705.tif 000006
【図３】
2019070705.tif 000007
【図４】
2019070705.tif 000008
【図５】
2019070705.tif 000009
【図６】
2019070705.tif 000010
【図７】
2019070705.tif 000011
【図８】
2019070705.tif 000012
【図９】
2019070705.tif 000013
【図１０】
2019070705.tif 000014
【図１１】
2019070705.tif 000015